(57)【要約】      （修正有）【課題】カムスライダーの取り外しや工具の交換作業を効率的にするカムユニットを提供すること。【解決手段】カムユニットにおいて、ガイドバー６とカムホルダー６との固定構造は、ガイドバーの片側端部６ａにおいてはカムホルダーの一方端部５ａに片側端部が螺着手段により固定され、他側端部６ｂにおいては、カムホルダーの他方の端部にガイドバーの横架する方向に沿って穿設したＴ字形凹部若しくは貫通させたＴ字形貫通孔５ｃに、Ｔ字形における幅広の凹部若しくは貫通孔の部分に対応する形状に形成した前記ガイドバー６の他側端部６ｂが横架する方向に沿って着脱自在に嵌合される構造とする。【選択図】図１
2008188655.tif 000002
【特許請求の範囲】
【請求項１】
金型の一方に固定されカム駆動されるカムドライバーと、該カムドライバーによって所定方向に移動され金型の他方に摺動自在に設けられるカムスライダーと、該カムスライダーを摺動自在に支持するカムホルダーとからなり、
前記カムホルダーには、当該カムホルダーの両端部に横架され、少なくとも前記カムスライダーの摺動方向のガイドとなるガイドバーが設けられてなるカムユニットにおいて、
前記ガイドバーと前記カムホルダーとの固定構造は、
前記ガイドバーの片側端部においてはカムホルダーの一方端部に当該片側端部が螺着手段により固定され、
他側端部においては、カムホルダーの他方の端部に当該ガイドバーの横架する方向に沿って穿設したＴ字形凹部若しくは貫通させたＴ字形貫通孔に、該Ｔ字形における幅広の凹部若しくは貫通孔の部分に対応する形状に形成した前記ガイドバーの他側端部が横架する方向に沿って着脱自在に嵌合されていること、
を特徴とするカムユニット。
【請求項２】
片側端部における螺着手段による固定構造は、カムホルダーの一方端部にカムスライダーの摺動方向に貫通し該摺動方向に直交する方向に開口した凹部が設けられ、この凹部に嵌合する形状にガイドバーの片側端部が形成され、このガイドバーの片側端部に前記摺動方向直交する方向に貫通するボルト用孔が設けられ、前記凹部にねじ孔が設けられ、この片側端部がカムスライダーの工具取付面側と反対側であること、
を特徴とする請求項１に記載のカムユニット。
【発明の詳細な説明】
【技術分野】
【０００１】
本発明は、例えば、金型のカムユニットに係り、例えば、自動車用のボディフレームの端縁部を屈曲させるプレス金型における、水平カムユニット、吊りカムユニット、傾斜カムユニット等のカムユニットに関する。
【背景技術】
【０００２】
従来、自動車のボディ等の大型金属製板を、鉛直方向における下側の固定金型と上側の可動金型による金型で成型する場合、その成形品の側面において、孔を穿設したり縁部を屈曲させたりするには、図５に示すように、金型に水平なカムユニット１１を取り付けて行う。即ち、可動金型２０のカムドライバー２１にテーパ面２１ａを設け、該テーパ面２１ａに当接するテーパ面２２ａを有して固定金型２５に固定されたカムベース２４上を、左右方向（Ａ方向）に棒状のガイドバー２６で案内され一定範囲でスライドするカムスライダー２２を設け、当該カムスライダー２２の工具取付面２２ｂに工具２３（例えば孔明け用）を固定しておく、水平カムユニット１１が知られている。（特許文献１参照）
【０００３】
そして、前記工具２３の取付交換作業の効率化のために、工具２３を取り付ける側のガイドバーの端部固定方法は、ねじ止めをしないように、カムベース２４の一端側端部２４ａに、前記左右方向に貫通する略矩形状の孔２４ｂを穿設している。この孔２４ｂに、ガイドバー２６の矩形状の端部２６ａを、左右方向から差し込んで嵌合させるようにしている。そして、ガイドバー２６の他端部２６ｂは、上下方向（Ｂ）に貫通するボルト孔にボルト２７を差し込んでねじ止めして固定している。
【特許文献１】特開２００２−１２６８３２号公報
【発明の開示】
【発明が解決しようとする課題】
【０００４】
しかし、前記略矩形状の孔２４ｂは、一端側端部２４ａに凹部が設けられ、そこに平板状の蓋部材２７を架設して開口部を閉蓋し、ボルト２８ａ，２８ｂでねじ止めして形成している。よって、部品が増えるばかりでなく、ねじ止め作業まで増えることとなり、このねじの緩みも発生する恐れもある。本発明に係るカムユニットは、このような課題を解決するために提案されたものである。
【課題を解決するための手段】
【０００５】
本発明に係るカムユニットの上記課題を解決して目的を達成するための要旨は、  金型の一方に固定されカム駆動されるカムドライバーと、該カムドライバーによって所定方向に移動され金型の他方に摺動自在に設けられるカムスライダーと、該カムスライダーを摺動自在に支持するカムホルダーとからなり、前記カムホルダーには、当該カムホルダーの両端部に横架され、少なくとも前記カムスライダーの摺動方向のガイドとなるガイドバーが設けられてなるカムユニットにおいて、前記ガイドバーと前記カムホルダーとの固定構造は、前記ガイドバーの片側端部においてはカムホルダーの一方端部に当該片側端部が螺着手段により固定され、他側端部においては、カムホルダーの他方の端部に当該ガイドバーの横架する方向に沿って穿設したＴ字形凹部若しくは貫通させたＴ字形貫通孔に、該Ｔ字形における幅広の凹部若しくは貫通孔の部分に対応する形状に形成した前記ガイドバーの他側端部が横架する方向に沿って着脱自在に嵌合されていることである。
【０００６】
前記片側端部における螺着手段による固定構造は、カムホルダーの一方端部にカムスライダーの摺動方向に貫通し該摺動方向に直交する方向に開口した凹部が設けられ、この凹部に嵌合する形状にガイドバーの片側端部が形成され、このガイドバーの片側端部に前記摺動方向直交する方向に貫通するボルト用孔が設けられ、前記凹部にねじ孔が設けられ、この片側端部がカムスライダーの工具取付面側と反対側であることを含むものである。
【発明の効果】
【０００７】
本発明のカムユニットによれば、カムユニットの部品点数が削減され、部品管理が容易となると共に、コストの低減となる。また、Ｔ字形若しくは逆Ｔ字形の凹部又は貫通孔の開口部が上若しくは横に向いていれば、ガイドバーの端部の差し込み状態が視認できる。
【発明を実施するための最良の形態】
【０００８】
本発明に係るカムユニット１は、図１乃至図２に示すように、固定金型と移動金型とで構成される自動車などのパネル加工用の金型において、例えば、その一方の移動金型に固定されカム駆動されるカムドライバー２と、該カムドライバー２によって所定方向に、水平形カムでは左右方向に移動され、金型の他方の固定金型３に摺動自在に設けられるカムスライダー４と、該カムスライダー４を摺動自在に支持するカムホルダー５とからなり、前記カムホルダー５には、前記カムスライダー４の摺動を案内する棒状のガイドバー６がある。
【０００９】
前記ガイドバー６は、前記カムホルダー５の両端部５ａ，５ｂに横架されるものであり、少なくとも前記カムスライダー３の摺動方向のガイドとなる。また、場合によっては、ガ前記カムスライダー３を元の位置に復帰させるコイルスプリング７などの弾性部材のガイドとなることもある。
【００１０】
そして、前記ガイドバー６と前記カムホルダー５との固定構造は、概念的に判りやすく斜視図で示す図１を参照すると、前記ガイドバー６の片側端部６ａにおいてはカムホルダー５の一方端部５ａに当該片側端部６ａが螺着手段により固定されている。
【００１１】
また、ガイドバー６の他側端部６ｂにおいては、図４に示すように、前記カムホルダー５の他方の端部５ｂに当該ガイドバー６の横架する方向に沿って穿設したＴ字形凹部５ｃ若しくは貫通させてなるＴ字形貫通孔５ｃに、該Ｔ字形における幅広の凹部若しくは貫通孔の部分に対応する形状に形成した前記ガイドバー６の他側端部６ｂが、横架する方向に沿って着脱自在に嵌合されている。前記凹部若しくは貫通孔５ｃは、便宜的にＴ字形と称しているが、見る方向によって逆Ｔ字形となるものである。この凹部若しくは貫通孔５ｃの開口部５ｄは、図３（Ｂ），（Ｃ）に示すように、カムスライダー４の摺動方向に対して直交する方向になる。
【００１２】
前記Ｔ字形貫通孔５ｃは、機能的には凹部としても良いが、その加工や清掃作業を考えると、前記カムスライダーの摺動方向（左右方向）に貫通させた方が好ましい。この貫通孔５ｃにより、蓋部材と固定するねじ部材が不要となり、取付工数も削減されるものである。
【００１３】
前記ガイドバー６の片側端部６ａにおける螺着手段による固定構造は、図１に示すように、カムホルダー５の一方端部５ａにカムスライダー４の摺動方向（左右方向）に貫通し該摺動方向に直交する方向（上方向）に開口した凹部５ｅが設けられている。そして、図６に示すように、この凹部５ｅに嵌合する形状にガイドバー６の片側端部６ａが形成され、このガイドバー６の片側端部６ａに前記摺動方向直交する方向に貫通するボルト用孔６ｃが設けられ、前記凹部５ｅにねじ孔が設けられる。
【００１４】
前記ボルト用孔６ｃには、ボルト８を差し込んで前記ねじ孔に締結することで、ガイドバー６がカムホルダー５に固定される。この固定作業が作業者にとって容易となるように、この片側端部６ａがカムスライダー４の工具取付面４ａ側と反対側である。よって、前記カムスライダー４に工具２３を取り付けたままで、後背側で固定用のねじ８を外し、そしてガイドバー６をカムホルダー５から摺動方向（左右方向）に引き抜き出すことができる。そして、カムスライダー４もカムホルダー５から取り出すことができる。
【００１５】
また、カムスライダー４をカムホルダー５に取り付ける際にも、工具２３を工具取付面４ａに付けた状態で行うことができて、工具２３の取付精度が維持され、更に工具２３の加工対象物との孔位置等の位置合わせをした際の、工具取付面４ａに描かれる取付け用罫描き線もずれることなく維持される。
【図面の簡単な説明】
【００１６】
【図１】本発明に係るカムユニット１におけるガイドバー６の固定構造を概略的に示す斜視図である。
【図２】同本発明のカムユニット１に係る一例の正面図（Ａ）と、一部側面図（Ｂ）とである。
【図３】同本発明のカムユニットに係るカムホルダー５の正面図（Ａ）と、一部側面図（Ｂ）と、他の実施例の一部側面図（Ｃ）である。
【図４】同本発明のカムユニットに係るガイドバー６の正面図（Ａ）と、底面図（Ｂ）と、側面図（Ｃ）とである。
【図５】従来例に係るカムユニット１１の使用状態正面図（Ａ）と、その一部側面図（Ｂ）とである。
【符号の説明】
【００１７】
１          カムユニット、
２          カムダライバー、
３          固定金型、
４          カムスライダー、                  ４ａ        工具取付面、
５          カムホルダー、                    ５ａ        一方端部、
５ｂ        他方の端部、      
５ｃ        （逆）Ｔ字形凹部若しくは（逆）Ｔ字形貫通孔、  
５ｄ        開口部、
６          ガイドバー、                      ６ａ        片側端部、
６ｂ        他側端部、
７          コイルスプリング、
８          ボルト。
【図１】
2008188655.tif 000003
【図２】
2008188655.tif 000004
【図３】
2008188655.tif 000005
【図４】
2008188655.tif 000006
【図５】
2008188655.tif 000007